(57)【要約】【課題】複数の洗浄槽を備える内視鏡洗浄装置において、ＲＦＩＤ送受信デバイスの数の増加を抑えることによりコストメリットを得られるとともに、複数の洗浄槽における洗浄消毒履歴に関する情報を容易に一元管理できる内視鏡洗浄装置を提供する。【解決手段】複数の洗浄槽を備える内視鏡洗浄装置において、１または２の洗浄槽内に通信領域を有し、洗浄槽内にセットされた内視鏡に付帯する無線タグに対して信号の送受信を行う、洗浄槽の数以下の信号送受信部（アンテナ）と、信号送受信部を介して無線タグと通信を行う、信号送受信部の数未満の通信部（リーダ／ライタ）と、複数の信号送受信部のうち信号の送受信を行うものを切り替える切替部と、を備えることにより、上記課題を解決する。【選択図】図１
2009045132.tif 000002
【特許請求の範囲】
【請求項１】
複数の洗浄槽を備え、前記洗浄槽内にセットされた内視鏡を各槽ごとに独立に洗浄可能な内視鏡洗浄装置であって、
１または２の前記洗浄槽内に通信領域を有し、前記洗浄槽内にセットされた内視鏡に付帯する無線タグに対して信号の送受信を行う、前記洗浄槽の数と同一またはそれ未満の複数の信号送受信部と、
前記信号送受信部が無線または有線で接続され、前記信号送受信部を介して前記無線タグと通信を行う、前記信号送受信部の数未満の通信部と、
前記複数の信号送受信部のうち信号の送受信を行うものを切り替える切替部と、を備えることを特徴とする内視鏡洗浄装置。
【請求項２】
前記複数の信号送受信部の全部が接続された１の前記通信部を備える請求項１に記載の内視鏡洗浄装置。
【請求項３】
３以上の前記洗浄槽が一列に配置され、
前記洗浄槽の数より１少ない数の前記信号送受信部が、各洗浄槽の間に配置され、
前記信号送受信部は、隣り合う２の前記洗浄槽内に通信領域を有する請求項１または２に記載の内視鏡洗浄装置。
【請求項４】
通信対象とする内視鏡が前記洗浄槽内にセットされたことを検知する検知部と、
前記通信部が通信を行うべき前記無線タグを特定する制御部とを備え、
前記制御部は、
前記検知部が検知した洗浄槽が前記洗浄槽の列の端以外にあるときは、その洗浄槽の両側にある２の前記信号送受信部によって前記無線タグの識別情報を受信し、受信した前記識別情報のうち重複する識別情報を発信する前記無線タグを、前記通信部が通信を行うべき前記無線タグとして特定し、
前記検知部が検知した洗浄槽が前記洗浄槽の列の端にあるときは、その洗浄槽の一方の側にある、その洗浄槽に最も近い第１の信号送受信部、および、その次に近い第２の信号送受信部によって前記無線タグの識別情報を受信し、前記第１の信号送受信部が受信した前記識別情報のうち、前記第２の信号送受信部が受信した前記識別情報と重複しない識別情報を発信する前記無線タグを、前記通信部が通信を行うべき前記無線タグとして特定する、請求項３に記載の内視鏡洗浄装置。
【請求項５】
通信対象とする内視鏡が前記洗浄槽内にセットされたことを検知する検知部と、
前記通信部が通信を行うべき前記無線タグを特定する制御部とを備え、
前記制御部は、
前記検知部が検知した洗浄槽に最も近い１の前記信号送受信部によって前記無線タグの通信履歴情報を受信し、
受信した前記通信履歴情報のうち最新の履歴が古い方の前記無線タグ、または、通信履歴が無い前記無線タグを、前記通信部が通信を行うべき前記無線タグとして特定する、請求項３に記載の内視鏡洗浄装置。
【請求項６】
前記洗浄槽の数と同数の前記信号送受信部が、各洗浄槽について配置され、
前記信号送受信部は、１の前記洗浄槽内にのみ通信領域を有する請求項１または２に記載の内視鏡洗浄装置。
【発明の詳細な説明】
【技術分野】
【０００１】
本発明は、内視鏡を自動洗浄消毒する内視鏡洗浄装置に関し、詳しくは、複数の内視鏡を別個に自動洗浄消毒可能な内視鏡洗浄装置に関する。
【背景技術】
【０００２】
周知のように、内視鏡は、人体等の生体内に挿入されて、臓器の診断や治療、標本の採取等に使用される。内視鏡は、複数の患者に共用され、かつ、繰り返し使用される。そのため、使用後の内視鏡は、徹底した衛生管理を行う必要があり、内視鏡を媒体とする細菌の感染等を防止するために、１回使用する毎に入念な洗浄（洗滌）および消毒を行う必要がある。
【０００３】
内視鏡洗浄装置は、内視鏡の洗浄消毒を自動で行うものである。内視鏡洗浄装置によれば、正確な洗浄消毒を行うことができ、作業者の労力を低減できる。また、作業者が使用後の内視鏡に付着した細菌に感染する可能性を極めて低くして、作業の安全性を確保することができる。
内視鏡洗浄装置による洗浄消毒のトレーサビリティ（履歴管理）や洗浄消毒プログラム管理を目的として、内視鏡に無線タグを持たせるとともに、内視鏡洗浄装置にＲＦＩＤ送受信デバイスを搭載したものが知られている。
【０００４】
例えば、特許文献１には、装置の使用者に関する使用者情報を記録する使用者ＩＤタグ、および内視鏡に取り付けられた内視鏡に関する内視鏡情報を記録するスコープＩＤタグと通信する、無線ＩＤ送受信部を具備する内視鏡洗浄消毒装置が記載されている。無線ＩＤ送受信部は、装置本体の上面または正面に設けられており、スコープＩＤタグは、内視鏡のコネクタ部に内蔵されている。そして、内視鏡が、そのコネクタ部が無線ＩＤ送受信部の無線通信範囲内に位置するように洗浄消毒槽内に収納配置されることにより、無線ＩＤ送受信部のスコープＩＤタグとの無線通信が可能とされている。内視鏡洗浄消毒装置の制御部は、無線ＩＤ送受信部によって受信したスコープＩＤタグおよび使用者ＩＤタグからの情報と、実行した洗浄消毒の情報とを関連付けてメモリに記憶する。
【０００５】
また、特許文献２には、洗浄消毒の対象物である内視鏡のユニバーサルコネクタや処置具等にＲＦＩＤタグを設け、洗浄消毒装置の内部、表面または外側に、洗浄消毒の対象物が洗浄室にセットされたときにそのＲＦＩＤタグと通信可能になるＲＦＩＤ送受信回路本体を設けることが記載されている。この自動洗浄消毒装置では、ＲＦＩＤタグとの間のデータ通信により取得した洗浄消毒対象物の識別データに基づいて、複数の洗浄消毒プログラムから適切なプログラムを選択し、選択されたプログラムを起動して、その対象物の洗浄消毒を行っている。
【０００６】
【特許文献１】特開２００６−２３０４９１号公報
【特許文献２】国際公開第０２／０３２４６８号パンフレット
【発明の開示】
【発明が解決しようとする課題】
【０００７】
ところで、内視鏡の使用頻度が高い医療施設においては、複数の内視鏡が用いられ、順次その洗浄消毒が行われる。内視鏡の洗浄消毒には相当時間を要するため、複数の内視鏡を同時に洗浄できると便利である。これに対し、１つの洗浄槽に２つの内視鏡をセット可能な装置が実用化されているが、この装置では、２つの内視鏡に対し同時に同一の洗浄消毒処理を施すことしかできず、各内視鏡を独立したタイミングで洗浄消毒することや、各内視鏡の使用態様に応じて異なる洗浄消毒処理を施すことはできない。
【０００８】
この課題を解決する方法として、１つの装置に複数の洗浄槽を設け、各洗浄槽で独立に洗浄消毒処理を実行できるようにすることが考えられる。しかし、複数の洗浄槽を備える洗浄装置であって、各洗浄槽における洗浄消毒のトレーサビリティ（履歴管理）や洗浄消毒プログラム管理を洗浄槽毎に行うことのできる装置は、未だ検討されていない。仮に、上記従来技術の構成を洗浄槽の数に合わせて搭載したとすると、ＲＦＩＤ送受信デバイスであるリーダ／ライタを洗浄槽の数だけ用意する必要があり、コスト性に優れない。また、複数のＲＦＩＤ送受信デバイスでデータを送受信するため、データの一元管理に手間が掛かる。
【０００９】
本発明の目的は、上記従来技術の問題点を解消し、複数の洗浄槽を備える内視鏡洗浄装置において、内視鏡に付された無線タグと通信を行う通信部であるＲＦＩＤ送受信デバイス（ＲＦＩＤリーダ／ライタ）の数を、洗浄槽の数より少なく抑えることにより、コストメリットを得られる内視鏡洗浄装置を提供することにある。また、本発明の更なる目的は、複数の洗浄槽における洗浄消毒履歴に関する情報を容易に一元管理できる内視鏡洗浄装置を提供することにある。
【課題を解決するための手段】
【００１０】
上記課題を解決するために、本発明は、複数の洗浄槽を備え、前記洗浄槽内にセットされた内視鏡を各槽ごとに独立に洗浄可能な内視鏡洗浄装置であって、
１または２の前記洗浄槽内に通信領域を有し、前記洗浄槽内にセットされた内視鏡に付帯する無線タグに対して信号の送受信を行う、前記洗浄槽の数と同一またはそれ未満の複数の信号送受信部（アンテナ）と、
前記信号送受信部が無線または有線で接続され、前記信号送受信部を介して前記無線タグと通信を行う、前記信号送受信部の数未満の通信部（リーダ／ライタ）と、
前記複数の信号送受信部のうち信号の送受信を行うものを切り替える切替部と、を備えることを特徴とする内視鏡洗浄装置を提供する。
【００１１】
ここで、前記複数の信号送受信部の全部が接続された１の前記通信部を備えるのが好ましい。
また、３以上の前記洗浄槽が一列に配置され、前記洗浄槽の数より１少ない数の前記信号送受信部が、各洗浄槽の間に配置され、前記信号送受信部は、隣り合う２の前記洗浄槽内に通信領域を有するのが好ましい。
【００１２】
また、さらに、通信対象とする内視鏡が前記洗浄槽内にセットされたことを検知する検知部と、前記通信部が通信を行うべき前記無線タグを特定する制御部とを備え、
前記制御部は、
前記検知部が検知した洗浄槽が前記洗浄槽の列の端以外にあるときは、その洗浄槽の両側にある２の前記信号送受信部によって前記無線タグの識別情報を受信し、受信した前記識別情報のうち重複する識別情報を発信する前記無線タグを、前記通信部が通信を行うべき前記無線タグとして特定し、
前記検知部が検知した洗浄槽が前記洗浄槽の列の端にあるときは、その洗浄槽の一方の側にある、その洗浄槽に最も近い第１の信号送受信部、および、その次に近い第２の信号送受信部によって前記無線タグの識別情報を受信し、前記第１の信号送受信部が受信した前記識別情報のうち、前記第２の信号送受信部が受信した前記識別情報と重複しない識別情報を発信する前記無線タグを、前記通信部が通信を行うべき前記無線タグとして特定するのが好ましい。
【００１３】
あるいは、通信対象とする内視鏡が前記洗浄槽内にセットされたことを検知する検知部と、前記通信部が通信を行うべき前記無線タグを特定する制御部とを備え、
前記制御部は、
前記検知部が検知した洗浄槽に最も近い１の前記信号送受信部によって前記無線タグの通信履歴情報を受信し、
受信した前記通信履歴情報のうち最新の履歴が古い方の前記無線タグ、または、通信履歴が無い前記無線タグを、前記通信部が通信を行うべき前記無線タグとして特定するのが好ましい。
【００１４】
また、前記洗浄槽の数と同数の前記信号送受信部が、各洗浄槽について配置され、前記信号送受信部は、１の前記洗浄槽内にのみ通信領域を有するのが好ましい。
【発明の効果】
【００１５】
本発明によれば、内視鏡に付された無線タグと通信を行う通信部である送受信デバイス（リーダ／ライタ）を、洗浄槽の数未満、好ましくは１枚としたことにより、複数の洗浄槽のそれぞれにおける洗浄消毒履歴を管理できる装置においてコストメリットを得ることができる。また、特に、リーダ／ライタを１枚とした態様では、複数の洗浄槽に跨る履歴情報を容易に一元管理することができる。
【発明を実施するための最良の形態】
【００１６】
本発明に係る内視鏡洗浄装置を、添付の図面に示す好適実施例に基づいて以下に詳細に説明する。
【００１７】
図１は、本発明の内視鏡洗浄装置の第一実施形態の概略構成を示すブロック図である。図１に示す内視鏡洗浄装置１０は、３つの内視鏡を別個に洗浄および消毒可能な装置であり、３つの洗浄槽１２Ａ，１２Ｂ，１２Ｃと、２つのアンテナ１４Ａ，１４Ｂと、１つのＲＦＩＤリーダ／ライタ（Ｒ／Ｗ）１６と、と、ＲＦＩＤリーダ／ライタ１６が信号の送受信を行うアンテナを切り替えるアンテナ切替部１８と、ＲＦＩＤリーダ／ライタ１６およびアンテナ切替部１８を制御する制御部２０と、各洗浄槽の蓋２２Ａ，（２２Ｂ），（２２Ｃ）と、蓋開閉検知センサ２４Ａ，２４Ｂ，２４Ｃと、各洗浄槽内に配置された内視鏡検知センサ２６Ａ，２６Ｂ，２６Ｃとを備える。なお、他の部分の構成を明瞭に示すために、図１において、また、後述する他の図においても、蓋２２Ａ〜２２Ｃのうち蓋２２Ａのみを図示し、蓋２２Ｂおよび２２Ｃは図示していない。
【００１８】
洗浄槽１２Ａ〜１２Ｃは、それぞれ、１つの内視鏡を収容可能である。洗浄槽１２Ａ〜１２Ｃには、それぞれ独立した蓋２２Ａ〜（２２Ｃ）が取り付けられており、この蓋２２Ａ〜（２２Ｃ）の開閉により蓋２２Ａ〜（２２Ｃ）と非接触または接触状態となる部分に、蓋開閉検知センサ２４Ａ〜２４Ｃが取り付けられている。蓋開閉検知センサ２４Ａ〜２４Ｃには、例えば、光センサや磁気センサを用いることができる。
【００１９】
また、洗浄槽１２Ａ〜１２Ｃの内部には、内視鏡がセットされたときにその内視鏡を検知可能な位置に、内視鏡検知センサ２６Ａ〜２６Ｃが取り付けられている。内視鏡検知センサ２６Ａ〜２６Ｃには、光センサや重さセンサを用いることができる。
蓋開閉検知センサ２４Ａ〜２４Ｃおよび内視鏡検知センサ２６Ａ〜２６Ｃは、通信対象とする内視鏡が洗浄槽にセットされたことを検知する検知部として機能する。すなわち、蓋開閉検知センサ２４Ａ〜２４Ｃの検知信号により、どの洗浄槽において内視鏡の出し入れがされたのかが分かり、その槽における内視鏡検知センサ２６Ａ〜２６Ｃの検知信号により、現在その洗浄槽に内視鏡がセットされているか否かが分かる。
【００２０】
また、図示していないが、各洗浄槽１２Ａ〜１２Ｃは、それぞれ、内視鏡の洗浄消毒に必要な設備、例えば、内視鏡の内部の各チャンネルの開口部に接続し、各チャンネルに送気、送水、送液を行うためのポートや、洗浄槽１２Ａ〜１２Ｃ内に送気、送水、送液を行うためのポートや、排水口、水位センサ等の各種センサ等を備えている。
【００２１】
アンテナ１４Ａ，１４Ｂは、洗浄槽１２Ａ〜１２Ｃ内にセットされた内視鏡に付された無線タグ（ＲＦタグ、ＩＣタグ）に対して信号の送受信を行うものである。アンテナ１４Ａは洗浄槽１２Ａと洗浄槽１２Ｂとの間に、また、アンテナ１４Ｂは洗浄槽１２Ｂと洗浄槽１２Ｃとの間に配置されている。アンテナ１４Ａ，１４Ｂは、両側の２つの洗浄槽に跨って通信領域２８Ａ，２８Ｂを有している。したがって、洗浄槽１２Ｂにおいて、アンテナ１４Ａおよびアンテナ１４Ｂの通信領域が重なっている。
【００２２】
このように、２つの洗浄槽に通信領域を有するアンテナを用いることで、アンテナの数を洗浄槽の数よりも少なくすることができる。しかし、この形態では、１つのアンテナが２つの洗浄槽内にセットされた内視鏡に付された無線タグからの信号を受信してしまうため、アンテナが受信した情報そのものからは、ある洗浄槽にセットされた内視鏡（それに付された無線タグ）を特定することができない。これに対し、内視鏡洗浄装置１０では、後述する方法により、通信対象とする無線タグを特定する。この特定方法については、後に詳述する。
【００２３】
内視鏡は、洗浄槽１２Ａ〜１２Ｃにセットされるときは、内視鏡に付された無線タグがアンテナ１４Ａ，１４Ｂの通信領域２８Ａ，２８Ｂに入るように配置される。例えば、無線タグが内視鏡のコネクタ部に内蔵または外付けされている場合には、コネクタ部が通信領域２８Ａ，２８Ｂに入るように内視鏡がセットされる。洗浄槽１２Ａ〜１２Ｃには、コネクタ部を置くべき位置を示しておくか、コネクタ部が所定位置に配置されるようなガイドを設けておくのが好ましい。
【００２４】
また、アンテナ１４Ａ，１４Ｂは、オペレータが所持する無線タグについてデータの送受信を行うこともできる。オペレータの無線タグとのデータ送受信は、オペレータがアンテナ１４Ａ，１４Ｂの通信領域２８Ａ，２８Ｂに自分の無線タグをかざすことによって行えばよい。
【００２５】
ＲＦＩＤリーダ／ライタ１６は、ＲＦＩＤ（Radio Frequency Identification System）により無線通信を行うもので、アンテナ１４Ａ，１４Ｂを介して内視鏡の無線タグと通信を行い、無線タグからその無線タグの識別情報や過去の洗浄消毒履歴情報を読み出したり、無線タグに今回実施した洗浄消毒に関する情報を書き込んだりすることができる。さらに、内視鏡１２の洗浄を担当するオペレータの識別情報が入力された無線タグからその情報を読み出すことや、そのオペレータが担当した洗浄の履歴をオペレータの無線タグに書き込むことができる。ＲＦＩＤリーダ／ライタ１６による情報の読み取りや書き込みは、制御部２０によって制御される。ＲＦＩＤリーダ／ライタ１６は、無線タグから読み取ったデータを制御部２０へ送り、また、制御部２０から送られたデータを無線タグへ書き込む。
【００２６】
ＲＦＩＤリーダ／ライタ１６には、アンテナ１４Ａ，１４Ｂが無線または有線で接続されている。アンテナ１４Ａ，１４ＢとＲＦＩＤリーダ／ライタ１６との間には、アンテナ切替部１８が配置されている。
アンテナ切替部１８は、ＲＦＩＤリーダ／ライタ１６が同時に複数のアンテナ１４Ａ，１４Ｂから信号の送受信を行うことのないように、アンテナ１４Ａ，１４Ｂのうち送受信を行うアンテナを切り替える。アンテナ切替部１８における切り替えは、制御部２０によって制御される。
【００２７】
制御部２０は、洗浄槽１２Ａ〜１２Ｃにおける洗浄消毒の工程を制御する。また、制御部２０は、洗浄槽１２Ａ〜１２Ｃにおいて洗浄消毒を行った内視鏡の洗浄消毒履歴データの管理のためのデータの送受信および記録等を制御する。図２は、内視鏡洗浄装置１０の回路構成の概略を示すブロック図である。図２に示すように、制御部２０は、ＣＰＵ３２、ＲＡＭ３４、ＲＯＭ３６、Ｉ／Ｏ制御回路３８、通信Ｉ／Ｆ回路４０、パネルＩ／Ｆ回路４２、クロック４４、リセット回路４６、負荷駆動回路４８、センサＩ／Ｆ回路５０、Ａ／Ｄ変換回路５２、および、切替制御回路５４を有する。
【００２８】
ＣＰＵ３２は、内視鏡洗浄装置１０における洗浄消毒処理および洗浄消毒履歴管理の制御をするために、内視鏡洗浄装置１０の各部を制御するもので、洗浄槽１２Ａ〜１２Ｂの３つの槽に対して１つのＣＰＵ３２が用いられている。内視鏡洗浄装置１０における洗浄消毒の各工程は、制御部２０が制御する。制御部２０は、予め設定された洗浄消毒プログラムに従って、内視鏡洗浄装置１０のポンプ、バルブ、弁、センサ等の各部を制御して、洗浄消毒の各工程を実行する。
【００２９】
ＲＯＭ３６は、洗浄消毒処理制御プログラムを含む各種アプリケーションプログラムを記憶する。ＲＯＭ３６には、内視鏡洗浄装置１０が備える洗浄槽の数に対応する洗浄消毒処理制御プログラムのみを記憶させておき、ＣＰＵ３２が常にそのプログラムを読み出すようにしてもよい。あるいは、ＲＯＭ３６に、１槽から任意の複数槽の各構成に対応する複数の洗浄消毒処理制御プログラムを記憶させておき、ＣＰＵ３２が実際の構成に対応するプログラムを選択してＲＯＭ３６から読み出すようにしてもよい。また、洗浄消毒処理制御プログラムのバリエーションを用意してＲＯＭ３６に記憶させておき、オペレータからの指示により、または装置構成に対応するＣＰＵ３２の選択により、ＣＰＵ３２が適切なプログラムを選択して読み出すようにしてもよい。
【００３０】
ＲＯＭ３６に記憶された洗浄プログラムを含む各種アプリケーションプログラムは、ＣＰＵ３２によってＲＯＭ３６から読み出され、ＲＡＭ３４にセットされる。ＣＰＵ３２は、ＲＡＭ３４にセットしたプログラムに従って洗浄消毒処理を実行する。また、ＲＡＭ３４は、内視鏡洗浄装置１０における洗浄消毒の履歴データを記憶する。
【００３１】
負荷駆動回路４８は、内視鏡洗浄消毒を実行するためのポンプ類、電磁バルブ、およびヒータの駆動回路である。
センサＩ／Ｆ回路５０は、蓋開閉検知センサ２４Ａ〜２４Ｃ、内視鏡検知センサ２６Ａ〜２６Ｃ、および、内視鏡洗浄装置１０におけるタンクや洗浄槽の水位を検出するレベルセンサ等の各種センサのインターフェースである。
Ａ／Ｄ変換回路５２は、内視鏡洗浄装置１０における温度センサや圧力センサのアナログの出力値をＡ／Ｄ変換する。
【００３２】
通信Ｉ／Ｆ回路４０は、内視鏡洗浄装置１０に備えられたＲＦＩＤリーダ／ライタ１６、ＬＡＮ接続部５６、およびプリンタ５７との通信インターフェース回路である。ＣＰＵ３２は、ＲＦＩＤリーダ／ライタ１６において無線タグから読み取った情報（例えば、内視鏡の無線タグから読み取った無線タグの識別情報や過去の洗浄消毒履歴情報、オペレータの無線タグから読み取ったオペレータの識別情報）および内視鏡洗浄装置１０において行った洗浄消毒の情報を、洗浄消毒履歴データとしてＲＯＭ３６に記憶することができ、また、ＬＡＮ接続部５６を介して病院内のネットワーク等に送信することができる。プリンタ５７からは、洗浄消毒履歴データをプリントすることができる。このプリンタ５７は、内視鏡洗浄装置１０に搭載されたものでもよいし、外部のプリンタでもよい。
【００３３】
パネルＩ／Ｆ回路４２は、内視鏡洗浄装置１０の表示・操作パネル５８とのインターフェースである。表示・操作パネル５８は、内視鏡洗浄装置１０に関する情報を表示するものであり、また、オペレータからの指示を入力できるタッチパネルとしても機能する。
切替制御回路５４は、アンテナ切替部１８の切り替え動作を制御する。
【００３４】
次に、内視鏡洗浄装置１０における洗浄消毒履歴管理について説明する。
まず、第１の例として、図３〜５を参照して、図１の内視鏡洗浄装置１０と同様の内視鏡洗浄装置１０Ａにおける洗浄消毒履歴管理について説明する。図３は、内視鏡洗浄装置１０Ａにおいてアンテナ１４Ａ，１４Ｂが無線タグを読み取った様子を模式的に示すブロック図であり、図４は、一列に配置された複数の洗浄槽のうち両端以外の洗浄槽に通信対象とする内視鏡がセットされた場合に、通信対象無線タグを特定するための処理フロー図、図５は、その両端の洗浄槽に通信対象とする内視鏡がセットされた場合に、通信対象無線タグを特定するための処理フロー図である。図３の例では、洗浄槽を３つとしているので、両端の洗浄槽とは、洗浄槽１２Ａ，１２Ｃであり、両端以外の洗浄槽とは、真ん中の洗浄槽１２Ｂである。
【００３５】
図３に示すように、内視鏡洗浄装置１０Ａの３つ洗浄槽１２Ａ〜１２Ｃのそれぞれに内視鏡１００がセットされたとする。内視鏡１００は、例えばコネクタ部に無線タグ１０２が内蔵または外付けされており、その無線タグ１０２には、そのタグの識別ＩＤ（識別情報）が記録されている。また、無線タグ１０２には、その無線タグが付されている内視鏡の種類、型式、性能、洗浄消毒履歴などの情報も記録されているのが好ましい。図３の例では、洗浄槽１２Ａ〜１２Ｃの各槽にセットされた内視鏡１００の無線タグ１０２の識別ＩＤは、それぞれＡ１２３４、Ｂ５６７８、Ｃ９８７６である。
【００３６】
上述したように、アンテナ１４Ａ，１４Ｂは、２つの洗浄槽の間に配置され、両側の洗浄槽内に通信領域２８Ａ，２８Ｂを有している。また、内視鏡１００は無線タグ１０２が通信領域２８Ａ，２８Ｂに入るようにセットされる。したがって、洗浄槽１２Ａと洗浄槽１２Ｂとの間のアンテナ１４Ａは、洗浄槽１２Ａおよび洗浄槽１２Ｂにセットされた内視鏡１００の無線タグ１０２から、識別ＩＤとしてＡ１２３４およびＢ５６７８を受信する。また、洗浄槽１２Ｂと洗浄槽１２Ｃとの間のアンテナ１４Ｂは、洗浄槽１２Ｂおよび洗浄槽１２Ｃにセットされた内視鏡１００の無線タグ１０２から、識別ＩＤとしてＢ５６７８およびＣ９８７６を受信する。
【００３７】
制御部２０による通信対象無線タグの特定方法を、内視鏡１００が両端以外の洗浄槽１２Ｂにセットされる場合と、両端の洗浄槽１２Ａ，１２Ｃにセットされる場合とに分けて、図４および図５に従って説明する。
まず、洗浄槽１２Ｂに内視鏡１００がセットされる場合について、図４を参照して説明する。
【００３８】
制御部２０は、蓋開閉検知センサ２４Ａ〜２４Ｃの出力を監視し、出力が無いとき（ステップＳ１２でＮｏの判断のとき）は、アイドル状態Ｓ１１を維持する。蓋開閉検知センサ２４Ａ〜２４Ｃのいずれかにより、蓋２２Ａ〜（２２Ｃ）が開いたことが検知されると、ステップＳ１２でＹｅｓの判断がされ、ステップＳ１３へ進む。
【００３９】
蓋開閉検知センサ２４Ｂにより蓋（２２Ｂ）が開いたことが検知された場合、制御部２０は、ステップＳ１３で、内視鏡検知センサ２６Ｂの出力をチェックし、洗浄槽１２Ｂに内視鏡１００があるかどうかを判断する。ここで内視鏡１００が検出されなかった場合は、ステップＳ１３でＮｏの判断が為され、ステップＳ１４へ進む。ステップＳ１４では、その洗浄槽１２Ｂの蓋（２２Ｂ）が閉まったかどうかを蓋開閉検知センサ２４Ｂにより検出し、閉まった場合にはステップＳ１４でＹｅｓの判断がされて、ステップＳ１１の上流までもどり、内視鏡洗浄装置１０Ａは再びアイドル状態となる。一方、ステップＳ１４で蓋（２２Ｂ）が閉まったことが検出されない場合は、ステップＳ１４でＮｏの判断が為され、ステップＳ１２とＳ１３の間に戻り、内視鏡１００がセットされるのを待機する状態となる。
【００４０】
ステップＳ１３で洗浄槽１２Ｂ内に内視鏡１００が検出された場合は、ステップＳ１５へ進み、蓋開閉検知センサ２４Ｂの出力をチェックして、蓋（２２Ｂ）が閉まったかどうかを判断し、蓋（２２Ｂ）が閉まるまで待機する状態となる。ステップＳ１５で蓋（２２Ｂ）が閉まったことが検出されると、Ｙｅｓの判断となって、ステップＳ１６へ進む。
【００４１】
ステップＳ１６では、該当洗浄槽、すなわちここでは洗浄槽１２Ｂの、一方の側、例えば左側のアンテナ１４Ａで無線タグの読み込みを行う。図３に示したように、アンテナ１４Ａは、洗浄槽１２Ａの内視鏡１００の無線タグ１０２から識別ＩＤとしてＡ１２３４を読み込み、洗浄槽１２Ｂの内視鏡１００の無線タグ１０２から識別ＩＤとしてＢ５６７８を読み込む。
【００４２】
次に、ステップＳ１７で、洗浄槽１２Ｂのもう一方の側、すなわち右側のアンテナ１４Ｂで無線タグの読み込みを行う。アンテナ１４Ａ，１４Ｂの切り替えは、アンテナ切替部１８によって行われる。アンテナ１４Ｂは、洗浄槽１２Ｂの内視鏡１００の無線タグ１０２から識別ＩＤとしてＢ５６７８を読み込み、洗浄槽１２Ｃの内視鏡１００の無線タグ１０２から識別ＩＤとしてＣ９８７６を読み込む。
【００４３】
続くステップＳ１８では、制御部２０は、ステップＳ１６で読み込んだ識別ＩＤとステップＳ１７で読み込んだ識別ＩＤとのうち、重複するものがあるかどうかを判断する。洗浄槽１２Ｂにセットされた内視鏡１００の無線タグ１０２は、洗浄槽１２Ｂの両側のアンテナ１４Ａおよび１４Ｂの両方の通信領域２８Ａおよび２８Ｂに入っているため、両方のアンテナ１４Ａおよび１４Ｂによって読み取られるはずである。したがって、両アンテナによって１４Ａ，１４Ｂによって重複して読み取られた識別ＩＤが、洗浄槽１２Ｂにセットされた内視鏡１００の無線タグ１０２の識別ＩＤであると特定することができる。
【００４４】
ステップＳ１８で重複する識別ＩＤがあった場合、Ｙｅｓの判断が為され、ステップＳ１９で、その重複する識別ＩＤを発信した無線タグ１０２を通信対象として特定し、すなわち、その無線タグ１０２が付された内視鏡１００を洗浄消毒管理対象として特定し、その無線タグ１０２との洗浄消毒履歴管理のための通信を実施する。
制御部２０による洗浄消毒履歴管理のための通信とは、無線タグ１０２からの内視鏡１００に関する情報の受信（読み込み）、内視鏡洗浄装置１０Ａや内視鏡洗浄装置１０Ａで実施した洗浄消毒処理に関する情報（内視鏡ＩＤ、担当オペレータＩＤ、洗浄機ＩＤ、洗浄槽Ｎｏ、洗浄消毒内容、総洗浄消毒回数等）の無線タグ１０２への送信および書き込み等である。
また、制御部２０は、通信対象の無線タグ１０２が特定された時点で、その内視鏡１００に施す洗浄消毒処理を選択して設定するようにしてもよい。
【００４５】
一方、ステップＳ１８で重複する識別ＩＤが無かった場合は、Ｎｏの判断が為される。この場合は、洗浄槽１２Ｂにセットされた内視鏡１００に無線タグが付されていないか、付されている無線タグが通信不可能であるなどの通信障害が考えられ、そのままでは洗浄消毒履歴管理のための通信を行うことができないので、ステップＳ２０でエラー出力をする。
【００４６】
次に、洗浄槽１２Ａまたは１２Ｃに内視鏡１００がセットされる場合について、図５を参照して説明する。内視鏡洗浄装置１０Ａの両端の洗浄槽１２Ａおよび１２Ｃについては、同様の同様の方法により通信対象無線タグの特定が行われるので、ここでは両者を代表して洗浄槽１２Ａについて説明する。
【００４７】
図５のフローにおいて、ステップＳ２１〜Ｓ２５は、図４のステップＳ１１〜Ｓ１５と同様である。すなわち蓋開閉検知センサ２４Ａにより、蓋２２Ａが開いたことが検知されると、ステップＳ１２でＹｅｓの判断がされることにより、ステップＳ２１のアイドル状態が解かれて、ステップＳ２３へ進む。
蓋開閉検知センサ２４Ａにより蓋２２Ａが開いたことが検知された場合、制御部２０は、ステップＳ２３で、内視鏡検知センサ２６Ａの出力をチェックし、洗浄槽１２Ａに内視鏡１００があるかどうかを判断する。ここで内視鏡１００が検出されなかった場合は、ステップＳ２３でＮｏの判断が為され、ステップＳ２４へ進む。ステップＳ２４で、蓋２２Ａが閉まったことが検出された場合はアイドル状態（ステップＳ２１）に戻り、蓋２２Ａが閉まったことが検出されない場合は、ステップＳ２３およびＳ２４のルーチンによって、内視鏡１００のセット待ち状態となる。
【００４８】
ステップＳ２３で洗浄槽１２Ａ内に内視鏡１００が検出された場合は、ステップＳ２５へ進み、対応する蓋開閉検知センサ２４Ａの出力をチェックして、蓋２２Ａが閉まったかどうかを判断し、蓋２２Ａが閉まるまで待機する状態となる。ステップＳ２５で蓋２２Ａが閉まったことが検出されると、Ｙｅｓの判断となって、ステップＳ２６へ進む。
【００４９】
ステップＳ２６では、該当洗浄槽、すなわちここでは洗浄槽１２Ａに最も近アンテナ１４Ａにおいて、無線タグの読み込みを行う。次に、ステップＳ２７で、洗浄槽１２Ａに次に近いアンテナ１４Ｂにおいて、無線タグの読み込みを行う。
ステップＳ２８では、制御部２０は、ステップＳ２６で読み込んだ識別ＩＤの中で、ステップＳ２７で読み込んだ識別ＩＤと重複しないものがあるかどうかを判断する。洗浄槽１２Ａにセットされた内視鏡１００の無線タグ１０２は、洗浄槽１２Ａに最も近いアンテナ１４Ａの通信領域２８Ａには入るが、次に近いアンテナ１４Ｂの通信領域２８Ｂには入らないので、アンテナ１４Ａによってのみ読み取られるはずである。したがって、最も近いアンテナ１４Ａによって読み取られ、次に近いアンテナ１４Ｂでは読み取られていない識別ＩＤが、洗浄槽１２Ａにセットされた内視鏡１００の無線タグ１０２の識別ＩＤであると特定することができる。
【００５０】
ステップＳ２８で該当する識別ＩＤがあった場合、Ｙｅｓの判断が為され、ステップＳ２９で、その識別ＩＤを発信した無線タグを、通信対象として特定し、その無線タグとの洗浄消毒履歴管理のための通信を実施する。一方、ステップＳ２８で該当する識別ＩＤが無かった場合は、Ｎｏの判断が為され、ステップＳ３０でエラー出力をする。
【００５１】
このようにして、制御部２０（そのＣＰＵ３２）は、複数の洗浄槽１２Ａ〜１２Ｃのうち、被洗浄物である内視鏡１００がセットされた洗浄槽を、蓋開閉検知センサ２４Ａ〜２４Ｃおよび内視鏡検知センサ２６Ａ〜２６Ｃによって検出し、その洗浄槽にセットされた内視鏡１００に付された無線タグ１０２の識別ＩＤを特定して、洗浄消毒履歴管理のための通信を実施することができる。また、制御部２０（ＣＰＵ３２）は、特定された識別ＩＤの無線タグ１０２から内視鏡１００に関する情報や過去の洗浄消毒履歴データを読み出して、その内視鏡１００に施すべき洗浄消毒プログラムを選択して実行することができる。
【００５２】
上記では、説明を分かり易くするために、図３の内視鏡洗浄装置１０Ａについて、内視鏡１００が両端以外の洗浄槽にセットされた場合（図４）と、両端の洗浄槽にセットされた場合（図５）とで、異なるフロー図を用いて説明したが、図４のステップＳ１１〜Ｓ１５までと、図５のステップＳ２１〜Ｓ２５とを共通にし、ステップＳ１２〜Ｓ１５（Ｓ２２〜Ｓ２５）で検出された内視鏡１００がセットされた洗浄槽が両端以外の場合にはステップＳ１６〜Ｓ２０を、両端の場合にはステップＳ２６〜Ｓ３０を実施する、１つのフロー図で表すこともできる。
【００５３】
なお、上記実施形態の内視鏡洗浄装置１０Ａは、３つの洗浄槽１２Ａ〜１２Ｃを備え、各洗浄槽の間に１つずつ、計２枚のアンテナ１４Ａ，１４Ｂを備える構成としたが、内視鏡洗浄装置１０Ａは、４つ以上の洗浄槽を備えても良く、その場合は、洗浄槽を１つ増やす毎にアンテナも１つ増やし、上述したのと同様にして、信号の送受信を制御すれば良い。
【００５４】
次に、内視鏡洗浄装置１０における洗浄消毒履歴管理の第２の例として、図６および図７を参照して、図１の内視鏡洗浄装置１０と同様の内視鏡洗浄装置１０Ｂにおける洗浄消毒履歴管理について説明する。この第２の例では、無線タグから読み取った識別ＩＤの履歴情報を制御部２０において検索し、その情報に基づいて、今洗浄消毒処理を実行しようとしている内視鏡１００の無線タグ１０２を特定する。図６は、内視鏡洗浄装置１０Ｂにおいてアンテナ１４Ａが無線タグを読み取った様子を模式的に示すブロック図であり、図７は、一列に配置された複数の洗浄槽のうちの１つの洗浄槽に通信対象とする内視鏡がセットされた場合に、通信対象無線タグを特定するための処理フロー図である。
【００５５】
図７のフローにおいて、ステップＳ３１〜Ｓ３５は、上述の第１の例で説明した図４のステップＳ１１〜Ｓ１５と同様である。制御部２０は、蓋開閉検知センサ２４Ａ〜２４Ｃの出力を監視し、出力が無いとき（ステップＳ３２でＮｏの判断のとき）は、アイドル状態Ｓ３１を維持する。蓋開閉検知センサ２４Ａ〜２４Ｃのいずれかにより、蓋２２Ａ〜（２２Ｃ）が開いたことが検知されると、ステップＳ３２でＹｅｓの判断がされ、ステップＳ３３へ進む。
【００５６】
例えば、蓋開閉検知センサ２４Ｂにより、蓋（２２Ｂ）が開いたことが検知された場合、制御部２０は、ステップＳ３３で、対応する洗浄槽１２Ｂの内視鏡検知センサ２６Ｂの出力をチェックし、洗浄槽１２Ｂに内視鏡１００があるかどうかを判断する。ここで内視鏡１００が検出されなかった場合は、ステップＳ３３でＮｏの判断が為され、ステップＳ３４へ進む。ステップＳ３４で、蓋（２２Ｂ）が閉まったことが検出された場合はアイドル状態（ステップＳ３１）に戻り、蓋（２２Ｂ）が閉まったことが検出されない場合は、ステップＳ３３およびＳ３４のルーチンによって、内視鏡１００のセット待ち状態となる。
【００５７】
ステップＳ３３で洗浄槽１２Ｂ内に内視鏡１００が検出された場合は、ステップＳ３５へ進み、対応する蓋開閉検知センサ２４Ｂの出力をチェックして、蓋（２２Ｂ）が閉まったかどうかを判断し、蓋（２２Ｂ）が閉まるまで待機する状態となる。ステップＳ３５で蓋（２２Ｂ）が閉まったことが検出されると、Ｙｅｓの判断となって、ステップＳ３６へ進む。
【００５８】
ステップＳ３６では、該当洗浄槽、すなわちここでは洗浄槽１２Ｂに最も近いアンテナ１４Ａで、無線タグの読み込みを行う。洗浄槽１２Ｂの場合は、両側にアンテナ１４Ａおよび１４Ｂが配置されているので、最も近いアンテナとしてアンテナ１４Ｂを用いてもよい。アンテナ１４Ａを用いた場合、図６に示すように、アンテナ１４Ａによって、洗浄槽１２Ａの内視鏡１００の無線タグ１０２、および、洗浄槽１２Ｂの内視鏡１００の無線タグ１０２の両方から、識別ＩＤとして、Ａ１２３４およびＢ５６７８が読み込まれる。この段階では、制御部２０では、どちらの識別ＩＤが該当洗浄槽１２Ａにセットされた内視鏡１００のものか特定することができない。そこで、次のステップＳ３７で、制御部２０は、ＲＯＭ３６に記録された過去の通信履歴を参照し、ステップＳ３６で読み込んだ識別ＩＤを、過去の通信履歴と比較する。
【００５９】
ステップＳ３８では、ステップＳ３６で読み込んだ識別ＩＤに、過去の通信履歴に登録情報が無いものが存在するかどうかを判断する。初めて内視鏡洗浄装置１０Ｂにセットされた内視鏡１００の無線タグ１０２などは、制御部２０に識別ＩＤが登録されておらず、その通信履歴が記録されていないが、本実施形態では、通信履歴が存在しないと、通信対象とする無線タグの特定ができないため、ステップＳ３８で登録情報が無いと判断された場合は、ステップＳ３９でエラー出力をし、登録作業を実施すべき旨をオペレータに対して通知する。
【００６０】
２つの識別ＩＤとも登録情報が制御部２０のＲＯＭ３６に存在した場合は、ステップＳ３８でＮｏの判断がされ、ステップＳ４０へ進む。
ステップＳ４０では、ステップＳ３７の処理の結果、ステップＳ３６で読み込んだ２つの識別ＩＤのうち、ＲＯＭ３６に記録された過去の通信履歴がより古いほうの識別ＩＤを発信した無線タグを、通信対象として特定し、その無線タグとの洗浄消毒履歴管理のための通信を実施する。図６の例では、アンテナ１４Ａによって読み込まれた識別ＩＤのうち、Ｂ５６７８の方がＡ１２３４よりもＲＯＭ３６に記録された通信履歴が古いので、Ｂ５６７８の無線タグ１０２が、通信対象として特定される。
【００６１】
洗浄槽が複数ある装置において、２つの洗浄槽に全く同時に内視鏡がセットされることは基本的にはなく、先にセットされた内視鏡の無線タグは、先に制御部２０に登録され、履歴管理が開始される。そのため、先にセットされた内視鏡の無線タグの履歴情報は、既に更新され、新たに洗浄槽にセットされた内視鏡の無線タグの履歴情報よりも新しくなっている。従って、ステップＳ３０で通信履歴がより古いほうの無線タグを選択することにより、今現在通信対象とする内視鏡１００の無線タグ１０２を特定することができる。
【００６２】
上記では洗浄槽１２Ｂに通信対象とする内視鏡１００がセットされる場合について説明したが、洗浄槽１２Ａの場合は、アンテナ１４Ａで、洗浄槽１２Ｃの場合は、アンテナ１４Ｂで、それぞれ同様の処理を行うことにより、制御部２０およびＲＦＩＤリーダ／ライタ１６の通信対象である無線タグ１０２を特定することができ、それにより、洗浄消毒履歴の管理対象である内視鏡１００を特定することができる。
【００６３】
上記の例では、２つの洗浄槽に通信領域を有するアンテナを２つ用いているが、第２の例の内視鏡洗浄装置１０Ｂでは、３つの洗浄槽に通信領域を有するアンテナを１つ用いることもできる。その場合は、その１つのアンテナによって３つの洗浄槽すべての内視鏡の無線タグの識別ＩＤが読み取られる。制御部２０は、そのアンテナを介して読み込んだ無線タグの識別ＩＤのうち、ＲＯＭ３６に記録された通信履歴が最も古いものを、通信対象として特定すればよい。
【００６４】
また、内視鏡洗浄装置１０Ｂは、３つの洗浄槽１２Ａ〜１２Ｃを備える構成としたが、内視鏡洗浄装置１０Ｂは、２つまたは４つ以上の洗浄槽を備えても良い。何れの場合も、２つ以上の洗浄槽に通信領域を有するアンテナを１つ以上用いて、全ての洗浄槽について無線タグとの通信が可能なように構成すればよい。
【００６５】
上記第一実施形態の内視鏡洗浄装置１０，１０Ａ，１０Ｂでは、３つの洗浄槽に対し、洗浄槽１２の数より少ない２つのアンテナ１４と、アンテナの数より少ない１枚のＲＦＩＤリーダ／ライタで構成することができるので、１つの洗浄槽につきアンテナとリーダ／ライタを１つずつ用いる場合に比べ、コストメリットが高い。さらに、上記第２の例の内視鏡洗浄装置１０Ｂでは、３つ以上の洗浄槽に通信領域を持つアンテナを用いることにより、アンテナの数を１つにすることもできる。また、１枚のリーダ／ライタで全ての洗浄槽１２について洗浄消毒履歴管理のための通信を行うので、複数の洗浄槽に跨る履歴情報を容易に一元管理することができる。
【００６６】
なお、上記の例のように、ＲＦＩＤリーダ／ライタを１枚とすることで最もコストメリットが大きくなるが、ＲＦＩＤリーダ／ライタをアンテナの数より１つでも少なくし、少なくとも１つのＲＦＩＤリーダ／ライタに複数のアンテナを接続する構成とすることで、従来のようにアンテナと１対１で、同数のリーダ／ライタを用いるものよりも、コストを低くすることができる。
【００６７】
さらに、上述の例のように、各洗浄槽１２Ａ〜１２Ｃについて設けられた蓋開閉検知センサ２４Ａ〜２４Ｃによる蓋開閉検出および内視鏡検知センサ２６Ａ〜２６Ｃによる内視鏡検出に連動してＲＦＩＤ通信を行うことにより、洗浄消毒を実行した洗浄槽１２を特定できるので、洗浄槽１２Ａ〜１２Ｃの識別ＩＤ（洗浄槽Ｎｏ）と洗浄消毒履歴の管理データとを関連付けて保存することも可能になる。なお、蓋２２Ａ〜（２２Ｃ）の開閉検出は、蓋開閉検知センサ２４Ａ〜２４Ｃによる検出以外にも、蓋２２Ａ〜（２２Ｃ）のヒンジ部の動作を検出すること等によって行ってもよい。
【００６８】
なお、上記の例では、各洗浄槽１２Ａ〜１２Ｃにそれぞれ１つの内視鏡がセットされる構成としたが、洗浄槽１２Ａ〜１２Ｃの各槽は、同一の洗浄消毒処理を施すべき複数の内視鏡を収容可能な構成としてもよい。その場合にも、上記の方法により特定される無線タグが、同一の洗浄槽に収容された複数の内視鏡の無線タグとなるだけであり、その複数の無線タグから得られた情報のそれぞれと、今回実行した洗浄消毒の情報とを関連付けて記録すればよく、また、その複数の無線タグに、同一の洗浄消毒履歴データを書き込めばよい。
【００６９】
また、上記では、複数の洗浄槽が同じ向きに一列に配置されている形態について説明したが、複数の洗浄槽が異なる向きで、例えば四角形や円形に配置されている形態にも本発明を適用することができる。例えば、そのような構成の内視鏡洗浄装置に本発明の第一実施形態を適用するためには、３つ以上の洗浄槽に対して複数のアンテナを用意し、各洗浄槽内が、それぞれ異なる組み合わせの２つのアンテナの通信領域に入るように設定し、図４および図５、または図７に示したフローに従って、通信対象の無線タグを特定すればよい。
【００７０】
次に、本発明の第二実施形態について説明する。
図８は、本発明の内視鏡洗浄装置の第二実施形態の概略構成を示すブロック図である。図８に示す内視鏡洗浄装置６０は、各洗浄槽１２Ａ〜１２Ｃの内部に、洗浄槽１２と同数の、３つのアンテナ６２Ａ〜６２Ｃが配置されている点で、図１の内視鏡洗浄装置１０と異なるが、他の構成要素は内視鏡洗浄装置１０と同様である。図８において、図１の内視鏡洗浄装置１０と同一の構成要素には同一の符号を付してある。
【００７１】
アンテナ６２Ａ〜６２Ｃは、それぞれ、そのアンテナが配置された洗浄槽１２Ａ〜１２Ｃの内部にのみ通信領域６４Ａ〜６４Ｃを有している。すなわち内視鏡洗浄装置６０では、図１の内視鏡洗浄装置１０で用いたアンテナ１４Ａ，１４Ｂに比べ、通信距離が短いアンテナ６２Ａ〜６２Ｃが用いられている。
【００７２】
図９は、内視鏡洗浄装置６０の回路構成の概略を示すブロック図である。アンテナ６２Ａ〜６２Ｃが洗浄槽１２Ａ〜１２Ｃの内部に設けられ、アンテナ切替部１８が３つのアンテナ６２Ａ〜６２Ｃの中で切り替え可能な点が、図２の内視鏡洗浄装置１０の回路構成と異なっているが、そのほかは同様である。
【００７３】
このような内視鏡洗浄装置６０における通信対象無線タグの特定は、次のように行う。図１０は、内視鏡洗浄装置６０において通信対象無線タグを特定するための処理フロー図である。
図１０のフローにおいて、ステップＳ４１〜Ｓ４５は、図４のステップＳ１１〜Ｓ１５と同様である。ステップＳ４２〜Ｓ４５の処理により、洗浄槽１２Ａ〜１２Ｃの何れかに内視鏡１００がセットされ、その洗浄槽１２に対応する蓋２２が閉じられたことが検出されると、ステップＳ４６で、該当する洗浄槽に最も近いアンテナで、無線タグの読み込みを行う。例えば、洗浄槽１２Ａに内視鏡１００がセットされた場合は、洗浄槽１２Ａの内部（例えば底面）に設けられたアンテナ６２Ａで、内視鏡１００に付された無線タグ１０２を読み込む。
【００７４】
この実施形態では、各アンテナ６２Ａ〜６４Ｃは、通信範囲が１つの洗浄槽１２に留まっているので、他の洗浄槽１２にセットされた内視鏡１００の無線タグ１０２を読み込むことはなく、混信の対処が不要である。したがって、ステップＳ４７では、ステップＳ４６で読み込んだ識別ＩＤを発した無線タグ１０２を通信対象として特定し、その無線タグ１０２との洗浄消毒履歴管理のための通信を実施する。
【００７５】
この第二実施形態においても、複数の洗浄槽に対し、１枚のＲＦＩＤリーダ／ライタのみを用いるので、コストメリットを得ることができ、また、履歴情報を容易に一元管理することができるという利点を得ることができる。また、第二実施形態では、各アンテナ６２の通信領域６４が重複しないので、混信対応処理が不要であり、通信対象とする無線タグの特定を極めて簡単に行うことができる。
【００７６】
また、内視鏡洗浄装置６０の構成は、洗浄槽１２が２つ以上の場合に採用でき、さらに、洗浄槽１２が１つの場合にも用いることができる。
【００７７】
以上、本発明に係る内視鏡洗浄装置について詳細に説明したが、本発明は上記実施例に限定されず、本発明の主旨を逸脱しない範囲において、種々の改良や変更を行ってもよいのはもちろんである。
【図面の簡単な説明】
【００７８】
【図１】本発明の第一実施形態の概略構成を示すブロック図である。
【図２】図１の内視鏡洗浄装置の回路構成の概略を示すブロック図である。
【図３】図１の内視鏡洗浄装置の一例を模式的に示すブロック図である。
【図４】図３の内視鏡洗浄装置において通信対象無線タグを特定するための処理フロー図である。
【図５】図３の内視鏡洗浄装置において通信対象無線タグを特定するための処理フロー図である。
【図６】図１の内視鏡洗浄装置の他の例を模式的に示すブロック図である。
【図７】図６の内視鏡洗浄装置において通信対象無線タグを特定するための処理フロー図である。
【図８】本発明の第二実施形態の概略構成を示すブロック図である。
【図９】図８の内視鏡洗浄装置の回路構成の概略を示すブロック図である。
【図１０】図８の内視鏡洗浄装置において通信対象無線タグを特定するための処理フロー図である。
【符号の説明】
【００７９】
１０、１０Ａ、１０Ｂ、６０  内視鏡洗浄装置
１２Ａ、１２Ｂ、１２Ｃ  洗浄槽
１４Ａ、１４Ｂ、６２Ａ、６２Ｂ、６２Ｃ  アンテナ
１６  ＲＦＩＤリーダ／ライタ
１８  アンテナ切替部
２０  制御部
２２Ａ、（２２Ｂ）、（２２Ｃ）  蓋
２４Ａ、２４Ｂ、２４Ｃ  蓋開閉検知センサ
２６Ａ、２６Ｂ、２６Ｃ  内視鏡検知センサ
２８Ａ、２８Ｂ、２８Ｃ  通信領域
１００  内視鏡
１０２  無線タグ
【図１】
2009045132.tif 000003
【図２】
2009045132.tif 000004
【図３】
2009045132.tif 000005
【図４】
2009045132.tif 000006
【図５】
2009045132.tif 000007
【図６】
2009045132.tif 000008
【図７】
2009045132.tif 000009
【図８】
2009045132.tif 000010
【図９】
2009045132.tif 000011
【図１０】
2009045132.tif 000012